(57)【要約】【課題】【解決手段】  ナビゲーション装置において通信接続のために移動装置の接続固有設定を発見する方法が開示される。一実施形態において、方法は、移動装置から予備情報を取得するために、移動装置とナビゲーション装置との間に無線接続を確立するステップと、予備情報に基づいてナビゲーション装置内のデータベースの複数のエントリを検索するステップと、検索されたエントリを使用して通信接続の確立を試行するステップと、通信接続の確立に成功したエントリを移動装置の接続固有設定として格納するステップとを含んでもよい。【選択図】  図１
2009536794.tif 000002
【特許請求の範囲】
【請求項１】
ナビゲーション装置において通信接続のために移動装置の接続固有設定を発見する方法であって、
前記移動装置から予備情報を取得するために前記移動装置と前記ナビゲーション装置との間に無線接続を確立するステップと、
前記予備情報に基づいて前記ナビゲーション装置内のデータベースの複数のエントリを検索するステップと、
前記検索されたエントリを使用して前記通信接続の確立を試行するステップと、
前記通信接続の確立に成功した前記複数のエントリのうち１つのエントリを前記移動装置の前記接続固有設定として格納するステップと
を含むことを特徴とする方法。
【請求項２】
前記無線接続を確立するステップでは、
前記移動装置から接続固有情報を直接取得することを試行する
ことを特徴とする請求項１記載の方法。
【請求項３】
前記移動装置から前記接続固有情報が取得された時点で前記通信接続を確立するステップ
を更に含むことを特徴とする請求項２記載の方法。
【請求項４】
前記ナビゲーション装置において前記通信接続の確立の成功を通知するステップ
を更に含むことを特徴とする請求項１乃至３のいずれか１項に記載の方法。
【請求項５】
前記無線接続は、
Ｂｌｕｅｔｏｏｔｈ接続である
ことを特徴とする請求項１乃至４のいずれか１項に記載の方法。
【請求項６】
前記予備情報は、
機種番号、サービスプロバイダ、ブランド、型、電話番号、アクセスポイントネットワーク（ＡＰＮ）アクセスコード、ＡＰＮアクセスプレフィクス、ＧＰＲＳアクセスコード、ＧＰＲＳアクセスプレフィクスのうち少なくとも１つを含む
ことを特徴とする請求項１乃至５のいずれか１項に記載の方法。
【請求項７】
前記接続固有設定は、
機種番号、サービスプロバイダ、ブランド、型、電話番号、アクセスポイントネットワーク（ＡＰＮ）アクセスコード、ＡＰＮアクセスプレフィクス、ＧＰＲＳアクセスコード、ＧＰＲＳアクセスプレフィクスのうち少なくとも１つを含む
ことを特徴とする請求項１乃至６のいずれか１項に記載の方法。
【請求項８】
前記通信接続は、
インターネット接続である
ことを特徴とする請求項１乃至７のいずれか１項に記載の方法。
【請求項９】
前記インターネット接続は、
前記移動装置に関連するサービスプロバイダを介して確立される
ことを特徴とする請求項８記載の方法。
【請求項１０】
前記予備情報が取得されない又は一部取得された場合に、前記ナビゲーション装置のユーザに前記予備情報の少なくとも一部を入力させる指示を行なうステップ
を更に含み、
前記検索するステップは、
入力された前記予備情報の一部に基づいて行なわれる
ことを特徴とする請求項１乃至９のいずれか１項に記載の方法。
【請求項１１】
前記ナビゲーション装置の地理的場所を識別するステップと、
前記予備情報が取得されない場合に、前記地理的場所の検証又は前記予備情報の少なくとも一部の入力をナビゲーション装置のユーザに指示するステップと
を更に含み、
前記検索するステップは、
入力された前記予備情報の一部、前記地理的場所、の少なくとも一方に基づいて行なわれる
ことを特徴とする請求項１乃至１０のいずれか１項に記載の方法。
【請求項１２】
前記無線接続を使用して、前記移動装置によりサポートされる追加機能に関連する情報を取得するステップ
を更に含むことを特徴とする請求項１乃至１１のいずれか１項に記載の方法。
【請求項１３】
前記追加機能は、
ハンズフリーアクセス、電話帳アクセス、ショートメッセージングサービス（ＳＭＳ）アクセス、電子メール、電話番号ダイヤリングアクセスのうち少なくとも１つを含む
ことを特徴とする請求項１０記載の方法。
【請求項１４】
前記ＳＭＳアクセスは、
前記移動装置において受信されたメッセージの図形表現を前記ナビゲーション装置に表示する
ことを特徴とする請求項１３記載の方法。
【請求項１５】
前記電話帳アクセスは、
前記移動装置に格納されている電話帳の図形表現を前記ナビゲーション装置に表示する
ことを特徴とする請求項１３記載の方法。
【請求項１６】
前記電話番号ダイヤリングアクセスは、
前記ナビゲーション装置に電話番号をダイヤルさせ、前記移動装置を使用して無線通話を確立させる
ことを特徴とする請求項１３記載の方法。
【請求項１７】
前記ハンズフリーアクセスは、
前記ナビゲーション装置を使用して無線通話を受信、開始、終了することのうち少なくとも１つを含む
ことを特徴とする請求項１３記載の方法。
【請求項１８】
ナビゲーション装置のプロセッサにおいて実行された場合、前記ナビゲーション装置に請求項１記載の方法を実現させるためのプログラムセグメントを含むコンピュータ可読媒体。
【請求項１９】
ナビゲーション装置において通信接続のために移動装置から接続固有設定を発見する方法であって、
複数の移動装置に関する接続固有設定を含む前記ナビゲーション装置のデータベースを検索するために使用される予備情報を前記移動装置から前記ナビゲーション装置へ無線接続を介して送出するステップと、
前記移動装置に関する接続固有設定を前記ナビゲーション装置から受信するステップと、
前記受信された接続固有設定を使用して前記通信接続を確立するステップと
を含むことを特徴とする方法。
【請求項２０】
通信接続の成功を前記ナビゲーション装置に報知するステップ
を更に含むことを特徴とする請求項１９記載の方法。
【請求項２１】
前記接続固有設定は、
機種番号、サービスプロバイダ、ブランド、型、電話番号、アクセスポイントネットワーク（ＡＰＮ）アクセスコード、ＡＰＮアクセスプレフィクス、ＧＰＲＳアクセスコード、ＧＰＲＳアクセスプレフィクスのうち少なくとも１つを含む
ことを特徴とする請求項１９又は２０記載の方法。
【請求項２２】
前記通信接続は、
インターネット接続である
ことを特徴とする請求項１９乃至２１のいずれか１項に記載の方法。
【請求項２３】
前記インターネット接続は、
前記移動装置に関連するサービスプロバイダを介して確立される
ことを特徴とする請求項２２記載の方法。
【請求項２４】
前記無線接続を使用して、前記移動装置によりサポートされる追加機能に関連する情報を送出するステップ
を更に含むことを特徴とする請求項１９乃至２３のいずれか１項に記載の方法。
【請求項２５】
前記追加機能は、
ハンズフリーアクセス、電話帳アクセス、ショートメッセージングサービス（ＳＭＳ）アクセス、電話番号ダイヤリングアクセスのうち少なくとも１つを含む
ことを特徴とする請求項２４記載の方法。
【請求項２６】
ナビゲーション装置のプロセッサにおいて実行された場合、前記ナビゲーション装置に請求項１９記載の方法を実現させるためのプログラムセグメントを含むコンピュータ可読媒体。
【請求項２７】
請求項１記載の方法を実行するプロセッサを具備するナビゲーション装置。
【請求項２８】
移動装置を介するナビゲーション装置への通信接続を可能にする複数の移動装置に関する接続固有設定を含む複数のエントリを格納するデータベースと、
前記複数の移動装置のうち少なくとも１つの移動装置に関する接続固有設定を格納するメモリと、
少なくとも１つの前記移動装置に関する接続固有設定を取得するために、前記移動装置から受信された予備情報に基づいて前記データベースの複数のエントリを検索するプロセッサと
を具備することを特徴とするナビゲーション装置。
【請求項２９】
前記少なくとも１つの移動装置は、Ｂｌｕｅｔｏｏｔｈ無線接続を使用して前記ナビゲーション装置に接続される
ことを特徴とする請求項２８記載のナビゲーション装置。
【請求項３０】
前記予備情報は、
機種番号、サービスプロバイダ、ブランド、型、電話番号、アクセスポイントネットワーク（ＡＰＮ）アクセスコード、ＡＰＮアクセスプレフィクス、ＧＰＲＳアクセスコード、ＧＰＲＳアクセスプレフィクスのうち少なくとも１つを含む
ことを特徴とする請求項２８又は２９記載のナビゲーション装置。
【請求項３１】
前記接続固有設定は、
機種番号、サービスプロバイダ、ブランド、型、電話番号、アクセスポイントネットワーク（ＡＰＮ）アクセスコード、ＡＰＮアクセスプレフィクス、ＧＰＲＳアクセスコード、ＧＰＲＳアクセスプレフィクスのうち少なくとも１つを含む
ことを特徴とする請求項２８乃至３０のいずれか１項に記載のナビゲーション装置。
【請求項３２】
前記通信接続は、
インターネット接続である
ことを特徴とする請求項２８乃至３１のいずれか１項に記載のナビゲーション装置。
【請求項３３】
前記インターネット接続は、
前記少なくとも１つの移動装置に関連するサービスプロバイダを介して確立される
ことを特徴とする請求項３２記載のナビゲーション装置。
【発明の詳細な説明】
【技術分野】
【０００１】
本発明は、一般的な通信及びナビゲーション装置に関する。例えば、本発明は、ナビゲーション装置において通信ネットワークの無線通信設定を発見する技術に関する。
【背景技術】
【０００２】
全地球測位システム（ＧＰＳ）を搭載したナビゲーション装置が益々一般的になってきている。一般に、そのようなナビゲーション装置は、複数の衛星との通信に基づいてユーザの現在の地理的位置を特定する能力をユーザに提供する場合がある。ユーザは、所望の地理的場所への移動中に現在の位置が入手できるように、自動車、オートバイ又は他の形態の個人的な輸送手段にナビゲーション装置の搭載を望む場合がある。ナビゲーション装置は、運転中又は歩行中に比較的単純に使用される。ナビゲーション装置は、装置とユーザとの対話を向上させるのによく知られているタッチスクリーンインタフェースを有してもよい。しかし、ナビゲーション装置は、ユーザが他の技術分野においてよく慣れている機能が欠如している。
【０００３】
例えば、ユーザは、インターネットに直接接続して入手できる機能豊富な情報や、いくつかのインターネット接続の使用し易さに慣れている。インターネットリソースのモビリティを向上するため、ユーザは、サービスが使用可能である場合にインターネットアクセスを提供できるグローバル・システム・フォー・モバイル・コミニュケーションズ（ＧＳＭ）を搭載した携帯電話等の移動装置を有する。更に、携帯電話は、同様のインターネットサービスを有していてもよく、例えば、無線インターネットサービスを有する符号分割多重接続（ＣＤＭＡ）を搭載した携帯電話であってもよい。
【０００４】
しかし、携帯電話は、通常のインターネット接続に使用されるコンピュータと比較すると比較的小さな表示画面を有しており、更に、携帯電話の中にはユーザが慣れているインターネットの大量のグラフィカルトラバースを実行する表示処理能力が不足しているものがある。同様に、無線インターネットアクセスに使用される無線ルータには画面がなく、インターネットトラバースにはラップトップ演算装置又は他の演算装置を必要とする。
【０００５】
更に、携帯電話におけるインターネットトラバースは、小さなキーパッド、不慣れなインタフェース、たやすく消耗するバッテリー寿命の影響を受ける可能性がある。同様に、例えば、自動車の運転手や同乗者は、運転中に必要となる可能性のあるインターネットアクセスやインターネットから入手可能な情報（例えば、天候状態、レストランの場所、ホテル情報等）のために携帯電話を操作するのではなく、道路状態や安全運転に集中する必要がある。
【発明の開示】
【発明が解決しようとする課題】
【０００６】
一般に運転中に簡単に使用できるように適応された装置であるナビゲーション装置と比較すると、携帯電話及び無線ルータの使用は、比較的複雑である。従って、自動車及び他の形態の輸送手段における有用性を向上し、より多くのモバイルインターネットリソースを有するのが望ましい。更に、小型の携帯電話は、運転中及び歩行中にモバイルインターネット接続を使用するのをより困難にするであろう。
【課題を解決するための手段】
【０００７】
従って、実施形態によれば、移動通信接続がナビゲーション装置に適用されるように接続情報を自動的に発見する方法が開示される。
【０００８】
実施形態によれば、ナビゲーション装置において通信接続のために移動装置の接続固有設定を発見する方法が開示される。この方法は、移動装置から予備情報を取得するために、移動装置とナビゲーション装置との間に無線接続を確立するステップと、予備情報に基づいてナビゲーション装置内のデータベースの複数のエントリを検索するステップと、検索されたエントリを使用して通信接続の確立を試行するステップと、通信接続の確立に成功した複数のエントリの１つを移動装置の接続固有設定として格納するステップとを含んでもよい。
【０００９】
実施形態によれば、ナビゲーション装置において通信接続のために移動装置の接続固有設定を発見する方法が開示される。この方法は、複数の移動装置に関する接続固有設定を含むナビゲーション装置のデータベースを検索するために使用される予備情報を移動装置からナビゲーション装置へ無線接続を介して送出するステップと、移動装置に関する接続固有設定をナビゲーション装置から受信するステップと、受信された接続固有設定を使用して通信接続を確立するステップとを含んでもよい。
【００１０】
実施形態によれば、ナビゲーション装置は、移動装置を介するナビゲーション装置への通信接続を可能にする複数の移動装置に関する接続固有設定を含む複数のエントリを格納するデータベースと、複数の移動装置のうち少なくとも１つの移動装置に関する接続固有設定を格納するメモリと、少なくとも１つの移動装置に関する接続固有設定を取得するために、移動装置から受信された予備情報に基づいてデータベースの複数のエントリを検索するプロセッサとを含んでもよい。
【発明を実施するための最良の形態】
【００１１】
図面を参照して説明される実施形態を使用して、本出願を以下に更に詳細に説明する。
【００１２】
本明細書において使用される専門用語は、特定の実施形態を説明する目的で使用され、本発明を限定することを意図しない。本明細書において使用されるように、特に指示のない限り、単数形「ａ」、「ａｎ」及び「ｔｈｅ」は複数形も含むことを意図する。用語「含む」は、本明細書において使用される場合、記載される特徴、数字、ステップ、動作、要素、構成要素の少なくともいずれかの存在を特定するが、１つ以上の他の特徴、数字、ステップ、動作、要素、構成要素の少なくともいずれかは、それらの集合の存在又は追加を除外しないことが更に理解されるであろう。
【００１３】
図示される実施形態を説明する際、理解し易くするために特定の専門用語が採用される。しかし、本出願の開示は、選択された特定の専門用語に限定されることを意図せず、特定の各要素が同様に動作する全ての技術的な等価物を含むことが理解される。
【００１４】
図面を参照して本出願の実施形態を以下に説明する。図中、同一の図中符号は同一又は対応する要素を示す。
【００１５】
図１は、本出願の実施形態のナビゲーション装置を含むナビゲーション装置により使用可能な全地球測位システム（ＧＰＳ）の一例を示す図である。このようなシステムは周知であり、多様な目的のために使用される。一般に、ＧＰＳは、衛星−無線ベースのナビゲーションシステムであり、連続する位置、速度、時間を判定でき、場合によっては無限の数のユーザに対して方向情報を判定できる。
【００１６】
正式にはＮＡＶＳＴＡＲとして周知であるが、ＧＰＳは、極めて正確な軌道で地球と協働する複数の衛星を含む。それらの正確な軌道に基づいて、ＧＰＳ衛星は衛星の場所を任意の数の受信装置へ中継してもよい。
【００１７】
ＧＰＳシステムが装置、特に、ＧＰＳデータを受信するために装備された装置として実現される場合、その装置は、ＧＰＳ衛星信号を求めて無線周波数を走査し始める。ＧＰＳ衛星から無線信号を受信すると、装置は、種々の従来の複数の方法のうちの１つの方法を用いてその衛星の正確な場所を判定する。多くの場合、装置は、少なくとも３つの異なる衛星信号を取得し終わるまで信号を求めて走査し続ける（尚、位置を判定する正規の方法ではないが、２つの信号だけでも、他の三角測量技術を使用して位置を判定できる）。幾何学的三角測量を実現する場合、受信機は３つの既知の位置を利用して、衛星に対する受信機自体の２次元位置を判定する。これは周知の方式で実行可能である。更に、第４の衛星信号を取得することにより、受信装置は、周知である略同様の幾何学的計算によってその三次元位置を計算できる。位置データ及び速度データは、無限の数のユーザにより連続的にリアルタイムで更新される。
【００１８】
図１に示されるように、ＧＰＳシステム全体は図中符号１００により示される。複数の衛星１２０は地球１２４の周囲の軌道上にある。各衛星１２０の軌道は他の衛星１２０の軌道と必ずしも同期せず、実際には非同期であると考えられる。本出願のナビゲーション装置の実施形態において使用可能であるＧＰＳ受信機１４０は、図示されるように、種々の衛星１２０からスペクトル拡散（Spread Spectrum）ＧＰＳ衛星信号１６０を受信する。
【００１９】
各衛星１２０から絶えず送信されるスペクトル拡散信号１６０は、極めて正確な原子時計によって実現される非常に正確な周波数規格を利用する。各衛星１２０は、そのデータ信号送信１６０の一部として、その特定の衛星１２０を示すデータストリームを送信する。ＧＰＳ受信装置１４０が三角測量により受信装置の２次元位置を計算するために、ＧＰＳ受信装置１４０が一般に少なくとも３つの衛星１２０からのスペクトル拡散ＧＰＳ衛星信号１６０を取得することは当業者により理解されるであろう。追加の信号を取得し、その結果、合わせて４つの衛星１２０からの信号１６０を取得することにより、ＧＰＳ受信装置１４０は周知のように受信装置の３次元位置を計算できる。
【００２０】
図２は、本出願の一実施形態に係るナビゲーション装置２００の電子構成要素をブロック構成要素フォーマットで示すブロック図である。尚、ナビゲーション装置２００のブロック図はナビゲーション装置の全ての構成要素を含んでいるわけではなく、多くの構成要素例のうち代表的なものを示しているにすぎない。
【００２１】
ナビゲーション装置２００は、筐体（図示せず）の内部に配置される。筐体は、入力装置２２０及び表示画面２４０に接続されたプロセッサ２１０を含む。入力装置２２０は、キーボード装置、音声入力装置、情報を入力するために利用される他の任意の周知の入力装置の少なくともいずれかを含みうる。表示画面２４０は、例えば、ＬＣＤディスプレイなどの任意の種類の表示画面を含みうる。本出願の少なくとも１つの実施形態においては、入力装置２２０及び表示画面２４０は、タッチパッド入力又はタッチスクリーン入力を含む一体型入力／表示装置に統合され、表示された複数の選択肢のうち１つを選択するため又は複数の仮想ボタンのうち１つをアクティブ化するために、ユーザは表示画面２４０の一部に触れるだけでよい。
【００２２】
更に、他の種類の出力装置２５０は、可聴出力装置を含むことができるが、それに限定されない。出力装置２５０は、ナビゲーション装置２００のユーザに対して可聴情報を生成できるので、入力装置２２０が入力音声コマンドを受信するためのマイクロホン及びソフトウェアを更に含んでもよいことも同様に理解される。
【００２３】
ナビゲーション装置２００において、プロセッサ２１０は、接続２２５を介して入力装置２２０に動作可能に接続され、接続２２５を介して入力装置２２０から入力情報を受信するように設定される。更に、プロセッサ２１０は、表示画面２４０及び出力装置２５０のうち少なくとも一方へ情報を出力するために、出力接続２４５を介して表示画面２４０及び出力装置２５０のうち少なくとも一方に動作可能に接続される。また、プロセッサ２１０は、接続２３５を介してメモリ２３０に動作可能に接続され、接続２７５を介して入出力（Ｉ／Ｏ）ポート２７０から情報を受信し、また、Ｉ／Ｏポート２７０へ情報を送出するように構成される。Ｉ／Ｏポート２７０は、ナビゲーション装置２００の外部のＩ／Ｏ装置２８０に接続可能である。外部Ｉ／Ｏ装置２７０は、例えば、イヤホンなどの外部聴取装置を含んでもよいが、それに限定されない。Ｉ／Ｏ装置２８０への接続は更に、ハンズフリー操作、例えばイヤホン又はヘッドホンへの接続のための音声起動操作、例えば移動電話への接続、の少なくともいずれかのために、カーステレオユニットなどの他の任意の外部装置への有線接続又は無線接続であってもよい。その場合、移動電話接続は、ナビゲーション装置２００とインターネット又は他の任意のネットワークなどとの間のデータ接続、インターネット又は他の何らかのネットワークなどを介するサーバへの接続、の少なくともいずれかの接続を成立させることを目的として使用されてもよい。接続２７５は、Ｂｌｕｅｔｏｏｔｈ接続、シリアル接続、又は外部装置へインタフェースするための任意の適切な接続として実現されてもよい。
【００２４】
図２は、接続２５５を介するプロセッサ２１０とアンテナ／受信機２６０との動作接続を更に示す。アンテナ／受信機２６０は、例えば、ＧＰＳアンテナ／受信機であってもよい。符号２６０により示されるアンテナ及び受信機は、例示のために概略的に組み合わされているが、アンテナ及び受信機は、別個に配置された構成要素であってもよい。アンテナは、例えば、ＧＰＳパッチアンテナ又はヘリカルアンテナであってもよいことが理解されるであろう。
【００２５】
図２は更に、プロセッサ２１０とデータベース２９０との動作可能な接続を示す。動作可能な接続２９５は、直接接続であってもよいが、ナビゲーション装置２００にインストールされたメモリ装置又はメモリシステムを介する仮想接続であってもよいことが理解されるであろう。例えば、データベース２９０は、ナビゲーション装置２００により使用可能な種々の設定情報又は他の情報を表現する複数のエントリを格納してもよい。例えば、そのようなエントリは、種々の種類の外部装置に関する構成情報を含んでもよい。外部装置は、Ｉ／Ｏポート２７０を通して無線通信プロトコルを介してナビゲーション装置２００に動作可能に接続される。
【００２６】
更に、図２に示される電子構成要素は、従来のように電源（図示せず）により給電されることが当業者により理解されるであろう。当業者により理解されるであろうが、本出願の範囲内で図２に示される構成要素の種々の異なる構成が考えられる。例えば、一実施形態においては、図２に示される構成要素は、有線接続、無線接続の少なくともいずれかなどを介して互いに通信していてもよい。従って、本出願のナビゲーション装置２００の範囲は、ポータブル又はハンドヘルドナビゲーション装置２００を含む。
【００２７】
更に、図２のポータブル又はハンドヘルドナビゲーション装置２００は、例えば、自動車又は船などの電動車両に周知の態様で接続又はドッキングされる。そのようなナビゲーション装置２００は、例えば、歩行中又は着席中にポータブルナビゲーション又はハンドヘルドナビゲーションとして利用するために、ドッキングされた場所から取り外しできる。
【００２８】
図３は、本出願の一実施形態に係る汎用通信チャネル３１８を介するサーバ３０２及び本出願に係るナビゲーション装置２００を示すブロック図である。サーバ３０２及び本出願のナビゲーション装置２００は、サーバ３０２とナビゲーション装置２００との間に通信チャネル３１８を介する接続が確立された場合に通信できる（尚、そのような接続は移動装置を介するデータ接続、インターネットを介するパーソナルコンピュータを通した直接接続などであってもよい）。
【００２９】
サーバ３０２は、図示されていない他の構成要素に加えて更に、プロセッサ３０４を含む。プロセッサ３０４は、メモリ３０６に動作可能に接続され、有線接続又は無線接続３１４を介して大容量データ記憶装置３１２に動作可能に接続される。プロセッサ３０４は、送信機３０８及び受信機３１０に動作可能に接続され、通信チャネル３１８を介してナビゲーション装置２００へ情報を送信し、また、ナビゲーション装置２００から情報を受信する。送受信される信号は、データ、通信、他の伝播信号の少なくともいずれかを含んでもよい。送信機３０８及び受信機３１０は、ナビゲーション装置２００の通信設計において使用された通信条件及び通信技術に従って選択又は設計されてもよい。尚、送信機３０８及び受信機３１０の機能は、１つの信号トランシーバとして組み合わされてもよい。
【００３０】
サーバ３０２は、大容量データ記憶装置３１２に更に接続される（又は大容量データ記憶装置３１２を含む）。尚、大容量データ記憶装置３１２は、通信リンク３１４を介してサーバ３０２に結合されてもよい。大容量データ記憶装置３１２は、ナビゲーションデータ及び地図情報を格納する。サーバ３０２とは別個の装置であってもよく、あるいはサーバ３０２に組み込まれてもよい。
【００３１】
ナビゲーション装置２００は、通信チャネル３１８を介してサーバ３０２と通信するように構成され、図２に関して上述したように、プロセッサ、メモリなどを含むと共に、通信チャネル３１８を介して信号やデータの少なくともいずれかを送受信するために送信機３２０及び受信機３２２を含む。尚、これらの装置は、サーバ３０２以外の装置と通信するためにも使用できる。更に、送信機３２０及び受信機３２２は、ナビゲーション装置２００の通信設計において使用された通信条件及び通信技術に従って選択又は設計されてもよく、送信機３２０及び受信機３２２の機能は単一のトランシーバとして組み合わされてもよい。
【００３２】
サーバメモリ３０６に格納されたソフトウェアは、プロセッサ３０４に対して命令を提供し、ナビゲーション装置２００へのサービスをサーバ３０２に提供させる。サーバ３０２により提供される１つのサービスは、ナビゲーション装置２００からの要求を処理する工程、大容量データ記憶装置３１２からナビゲーション装置２００へナビゲーションデータを送信する工程を含む。本出願の少なくとも１つの実施形態によれば、サーバ３０２により提供される別のサービスは、所望のアプリケーションに対して種々のアルゴリズムを使用してナビゲーションデータを処理する工程及びそれらの計算の結果をナビゲーション装置２００へ送出する工程を含む。
【００３３】
通信チャネル３１８は、一般に、ナビゲーション装置２００とサーバ３０２とを接続する伝播媒体又は経路を表す。本出願の少なくとも１つの実施形態によれば、サーバ３０２及びナビゲーション装置２００の双方は、通信チャネルを介してデータを送信する送信機と、通信チャネルを介して送信されたデータを受信する受信機とを含む。
【００３４】
通信チャネル３１８は、特定の通信技術に限定されない。更に、通信チャネル３１８は単一の通信技術に限定されない。すなわち、チャネル３１８は、多様な技術を使用するいくつかの通信リンクを含んでもよい。例えば、少なくとも１つの実施形態によれば、通信チャネル３１８は、電気通信、光通信、電磁通信などの少なくともいずれかのための経路を形成するように構成される。従って、通信チャネル３１８は、電気回路、電線又は同軸ケーブルなどの導電体、光ファイバケーブル、変換器、無線周波数（ｒｆ）波、大気、空間などのうちの１つ又はそれらの組み合わせを含むが、それらに限定されない。更に少なくとも１つの実施形態によれば、通信チャネル３１８は、例えば、ルータ、中継器、バッファ、送信機、受信機などの中間装置を含んでもよい。
【００３５】
本出願の少なくとも１つの実施形態においては、例えば、通信チャネル３１８は電話ネットワーク及びコンピュータネットワークを含む。更に、少なくとも１つの実施形態においては、通信チャネル３１８は、無線周波数、マイクロ波周波数、赤外線通信などの無線通信に対応可能であってもよい。また、少なくとも１つの実施形態によれば、通信チャネル３１８は、衛星通信に対応できる。
【００３６】
通信チャネル３１８を介して送信される通信信号は、所定の通信技術に対して要求又は所望されると考えられる信号を含むが、それに限定されない。例えば、信号は、時分割多元接続（ＴＤＭＡ）、周波数分割多元接続（ＦＤＭＡ）、符号分割多重接続（ＣＤＭＡ）、グローバル・システム・フォー・モバイル・コミニュケーションズ（ＧＳＭ）などの携帯電話通信技術において使用されるように適応されてもよい。通信チャネル３１８を介して、デジタル信号及びアナログ信号の双方を送信できる。少なくとも１つの実施形態によれば、それらの信号は、通信技術に対して所望のように変調、暗号化、圧縮の少なくともいずれかがなされた信号であってもよい。
【００３７】
大容量データ記憶装置３１２は、所望のナビゲーションアプリケーションに対して十分なメモリを有する。大容量データ記憶装置３１２の例は、ハードドライブなどの磁気データ記憶媒体、ＣＤ‐ＲＯＭなどの光記憶媒体、フラッシュメモリなどの帯電データ記憶媒体、分子メモリなどを含んでもよい。
【００３８】
本出願の少なくとも１つの実施形態によれば、サーバ３０２は、無線チャネルを介してナビゲーション装置２００によりアクセス可能であるリモートサーバを含む。本出願の少なくとも１つの他の実施形態によれば、サーバ３０２は、ローカルエリアネットワーク（ＬＡＮ）、ワイドエリアネットワーク（ＷＡＮ）、仮想プライベートネットワーク（ＶＰＮ）などに配置されたネットワークサーバを含んでもよい。
【００３９】
本出願の少なくとも１つの実施形態によれば、サーバ３０２は、デスクトップコンピュータ又はラップトップコンピュータなどのパーソナルコンピュータを含んでもよく、通信チャネル３１８は、パーソナルコンピュータとナビゲーション装置２００との間に接続されたケーブルであってもよい。あるいは、サーバ３０２とナビゲーション装置２００との間にインターネット接続を成立させるために、パーソナルコンピュータはナビゲーション装置２００とサーバ３０２との間に接続されてもよい。あるいは、インターネットを介してナビゲーション装置２００をサーバ３０２に接続するために、移動電話又は他のハンドヘルド装置によりインターネットへの無線接続を成立させてもよい。
【００４０】
ナビゲーション装置２００は、情報のダウンロードを経てサーバ３０２から情報を提供されてもよい。この情報のダウンロードは、ユーザがナビゲーション装置２００をサーバ３０２に接続した時点で定期的に更新されてもよく、例えば無線移動接続装置及びデータ接続を介してサーバ３０２とナビゲーション装置２００との間に継続的又は頻繁に接続が形成されたときに動的になされてもよい。多くの動的計算に際して、サーバ３０２のプロセッサ３０４は、大量の処理ニーズを処理するために使用されてもよいが、ナビゲーション装置２００のプロセッサ２１０も、多くの場合にサーバ３０２への接続とは無関係に大量の処理及び計算を実行できる。
【００４１】
サーバ３０２に接続された大容量データ記憶装置３１２は、地図などを含めたナビゲーション装置２００自体に維持されうるデータ量よりも多くの量の地図製作データ及びルートデータを含むことができる。サーバ３０２は、例えば、一連の処理アルゴリズムを使用して、ルートに沿って走行するナビゲーション装置２００における装置の大半を処理してもよい。更に、メモリ３１２に格納された地図製作データ及びルートデータは、本来はナビゲーション装置２００により受信される信号（例えば、ＧＰＳ信号）に基づいて演算できる。
【００４２】
例えば、ナビゲーション装置２００は、ユーザが独立型ナビゲーション装置では通常は利用不可能である追加機能と対話できるか、又はそのような機能を利用できるようにすることにより大型のナビゲーションシステムにおいて使用されてもよい。
【００４３】
図４は、一実施形態に係るナビゲーションシステムを示す。ナビゲーションシステム４００は、ナビゲーション装置２００及び移動装置４１０を含んでもよい。例えば、移動装置４１０は、無線ルータ、ＧＳＭ携帯電話、ＣＤＭＡ携帯電話、無線能力を備えたＰＤＡ、又はナビゲーション装置２００と接続するための無線通信プロトコルを含む他の任意の適切な移動装置であってもよい。移動装置４１０は、通信リンク４０５によってナビゲーション装置２００と通信していてもよく、あるいは無線リンク４０５によってナビゲーション装置２００と通信するように使用可能にされてもよい。ナビゲーション装置２００は、通信チャネル４０５を介して移動装置４１０から情報を取得してもよく、移動装置４１０によりサポートされるインターネットプロトコル又は接続を使用し、通信チャネル４０５を介してインターネットへ情報を送信してもよい。
【００４４】
更に、通信チャネル４０５に関しては、通信チャネル４０５が移動装置４１０（例えば、携帯電話）のサービスプロバイダを介して移動インターネット接続、例えばアクセスポイントネットワーク対応の移動インターネット接続を使用可能にしてもよいことが理解されるであろう。移動インターネット接続の他の例は、ダイヤルアップネットワーキング（ＤＵＮ）、ワイヤレスアプリケーションプロトコル（ＷＡＰ）などを含んでもよい。しかし、実施形態は、例えば、パーソナルデジタルアシスタント（ＰＤＡ）、無線ルータ、移動電話などの移動装置を介して利用可能であるあらゆる移動インターネット接続に適用可能であるため、実施形態はそれらの例のみに限定されるべきではない。
【００４５】
例えば、移動インターネット接続は、接続を使用可能にするために複数の設定を必要としてもよい。一般に、それら複数の設定は、サービスプロバイダ、サービスプロバイダの国及び／又は地理的場所、移動電話の機種、移動電話メーカー、他の適用可能な設定によって異なる。更に、移動装置の特定の型式は、ＷＡＰ、ＧＰＲＳ ＷＡＰ、ＡＰＮ、ＤＵＮなどの複数の異なる移動インターネット接続の種類を含んでもよい。従って、特定の移動装置の機種は、利用可能な接続の種類ごとに多くの設定を含んでもよい。そのため、特定の機種のユーザは、接続を使用できるようになる前に、各々の接続の種類、接続の種類に関連する各設定の少なくともいずれかを理解することが必要であろう。従って、移動装置のどのユーザも移動装置の接続を余すところなく利用するために活用できる知識を有していなくてもよいことが理解されるであろう。
【００４６】
移動装置４１０に関しては、移動インターネット接続の種類に関する特定の設定は、ユーザがその接続にアクセスできるように接続識別子（ＣＩＤ）により参照されてもよい。例えば、ＡＰＮ接続のＣＩＤは、利用可能な接続の種類をオープンするためにダイヤルされてもよいプレフィクス（例えば、＃７７、＃９６、＊６９など）を含んでもよい。プレフィクスは、ユーザによりアクセス可能なフォーマットでは容易に格納されないために、ユーザは、接続を確立できるようにワーキングプレフィクスの場所を更に確定しなければならないであろう。
【００４７】
ナビゲーションシステム４００は、コンピュータ４４０及びサーバ４３０を更に含んでもよい。コンピュータ４４０がナビゲーション装置２００と通信できるように、コンピュータ４４０はシリアル通信ポート（すなわち、ＲＳ２３２シリアルポート、ＵＳＢシリアルポートの少なくともいずれか）を含んでもよい。例えば、コンピュータ４４０は、ナビゲーション装置２００とコンピュータ４４０との間のシリアル通信プロトコルを介してインターネットから情報をナビゲーション装置２００が取得させるようにしてもよい。コンピュータ４４０は、インターネットと通信していてもよく、あるいは任意の利用可能なインターネットサービスプロバイダを介して安定したインターネット接続を可能にしてもよい。
【００４８】
ナビゲーション装置４００は、インターネットに接続されたサーバ４３０を更に含んでもよい。サーバ４３０から大量の情報を取得できるように、サーバ４３０は、大容量記憶装置、データ記憶装置の少なくともいずれかを含んでもよい。例えば、サーバ４３０は、図３に示されるサーバ３０２と略同様であってもよい。更に、コンピュータ４４０は、利用可能なプロトコルのうち任意のプロトコル（すなわち、ＴＣＰ／ＩＰプロトコル、ＦＴＰプロトコル又は任意の適切なプロトコル）によってインターネットを介してサーバ４３０から情報を取得してもよい。コンピュータ４４０は、サーバ４３０から取得された情報をナビゲーション装置２００に格納するために、その情報をナビゲーション装置２００へ中継してもよい。例えば、コンピュータ４４０は、移動装置４１０の接続設定に関する情報をサーバ４３０から取得し、この情報をナビゲーション装置２００に格納してもよい。接続設定は、移動インターネット接続を確立するために必要な情報を含んでもよく、例えば、ナビゲーション装置２００のデータベース２９０又はナビゲーション装置のメモリに格納されてもよい。
【００４９】
ナビゲーションシステム４００は、通信リンク４２５を介してナビゲーション装置２００に接続されたカーステレオ４２０を更に含んでもよい。例えば、ナビゲーション装置２００から再生される音声プロンプト、音声情報の少なくともいずれかをカーステレオ４２０を通して聞けるように、通信リンク４２５は、ナビゲーション装置２００とカーステレオ４２０との間の通信を使用可能にしてもよい。例えば、そのような音声情報は、ハンズフリーモードの移動装置４１０を使用した通話からの音声情報を含んでもよい。ナビゲーションシステム４００は、ナビゲーション装置２００と接続するコンピュータ４４０、インターネット、サーバ４３０を示しているが、実施形態の要旨を逸脱しない範囲でこれらの構成要素のうち任意の構成要素又は全ての構成要素が省略されてもよいことが理解されるであろう。
【００５０】
例えば、ナビゲーション装置２００は、コンピュータ４４０に接続されている間に、コンピュータ４４０を使用し、サーバ４３０から接続固有設定（Connection Specific setting）を取得するようにしてもよい。その後、ナビゲーション装置が持ち運び可能になり且つ／又は自動車、船又は他の車両において典型的な構成で使用可能になるように、コンピュータ４４０は、ナビゲーション装置２００との接続を切断してもよい。更に、ナビゲーション装置２００は、カーステレオ４２０に接続されるように図示されているが、そのような接続は任意であり、実施形態の要旨を逸脱しない範囲で切断されてもよく且つ／又は使用されなくてもよいことが理解されるであろう。また、ナビゲーション装置２００は移動装置４１０と通信しているように図示されているが、通信は任意の時点で切断されてもよく且つ／又は図示されてはいないが、移動装置４１０と接続する種々の通信リンクを介して使用可能にされてもよいことが理解されるであろう。
【００５１】
実施形態によれば、移動装置への接続を確立する方法が開示される。接続は、移動通信接続を確立できるように、移動装置４１０に関する接続固有設定、情報の少なくともいずれかの取得を可能にしてもよい。例えば、移動通信接続は、上述したような移動インターネット接続であってもよい。
【００５２】
図５は、一実施形態に係る移動装置への無線接続を確立する方法を示す。例えば、接続を確立する方法は、図２に示されるナビゲーション装置２００と略同様のナビゲーション装置２００により実行及び／又は処理されてもよい。
【００５３】
移動装置の場所を判定する方法は、無線リンクを使用して移動装置を探索する工程を含んでもよい。無線リンクは、ナビゲーション装置と移動装置との間の短距離Ｂｌｕｅｔｏｏｔｈ接続又は任意の適切な無線リンク（すなわち、ＩＥＥＥ８０２．１１ａ／ｂ／ｇ／ｎ、ＷＡＮなど）であってもよい。
【００５４】
移動装置の探索に続いて、又は移動装置の探索とほぼ同時に、２つ以上の移動装置が識別される場合がある。無線リンクを使用して２つ以上の移動装置が識別された場合、ナビゲーション装置２００のユーザにより、発見された移動装置のリストから１つの好適又は所望の装置を選択するように入力指示してもよい。例えば、ナビゲーション装置２００は、利用可能な無線装置の図形リストを含むグラフィカルユーザインタフェース（ＧＵＩ）を示してもよい。図形リストはいくつかの無線装置を示してもよく、ユーザ入力のために接触感知型であってもよい。接触感知型のユーザ入力インタフェースの場合、方法が好適な無線装置とのペアリングを可能にするように、ユーザは好適な無線装置を表す仮想ボタンを押下するだけでよい。あるいは、ユーザは、ナビゲーション装置２００に表示された装置のリストから、マウス又はキーボードを介して好適又は所望の移動装置４１０を入力してもよい。
【００５５】
無線リンクを使用して２つ以上の装置が識別されなかった場合、ナビゲーション装置２００は、無線リンクを介して唯一識別された移動装置とのペアリングを開始してもよい。例えば、ナビゲーション装置２００は、ペアリングコードを含むユーザインタフェース画面を表示してもよい。ナビゲーション装置２００のユーザが移動装置４１０に数字識別コードを入力できるように、ペアリングコードは、無線リンクの数字識別コード又はパスワードを含んでもよい。あるいは、ユーザが数字コードをナビゲーション装置２００に入力できるように、移動装置４１０は数字コード又はパスワードを表示又は入力指示してもよい。少なくとも１つの実施形態においては、Ｂｌｕｅｔｏｏｔｈペアリングの場合、数字コードは４桁の数字コードである。他の実施形態においては、数字コードは、使用される無線リンクに応じて全く異なる数の数字、文字又は他の任意の有効な記号であってもよい。
【００５６】
その後、ナビゲーション装置２００は、無線リンクの周知のペアリング方法を使用して、移動装置４１０とのペアリングを実行してもよい。ペアリングに続いて、ナビゲーション装置２００は、ペアとなった移動装置４１０がインターネットアクセス及び／又は追加機能をサポートするか否かを識別してもよい。例えば、ユーザがナビゲーション装置２００にどの機能をインストールするかを選択できるように、ナビゲーション装置２００は、移動装置４１０の周知の機能のリスト又は移動装置４１０の可能な機能のリストによってナビゲーション装置２００のユーザに入力指示してもよい。その後、移動装置４１０から接続固有設定を推定するために、自動接続セットアップ方法が採用されてもよい。あるいは、ナビゲーション装置２００とユーザとの対話に応じて、接続を確立する半自動方法が使用されてもよい。例えば、自動接続セットアップ方法が使用可能にされる前に、ユーザは半自動接続方法を選択してもよい。
【００５７】
同様に、ユーザは、無線リンクによって新たな移動装置を探索することなく、以前にペアリングが成立していた移動装置との間で自動接続セットアップ方法を使用することを単に入力指示されるだけでもよい。自動接続セットアップ方法を試行するのに続いて、ペアを形成した移動装置においてサポートされる追加機能を識別するために、移動装置がトラバースされてもよい。例えば、移動装置４１０が電話帳アクセス、ハンズフリーアクセス、ＳＭＳアクセス又は移動装置４１０の他の機能を含む追加機能をサポートするか否かを判定するために、ナビゲーション装置２００は、移動装置４１０とハンドシェイクしてもよい。その後、追加機能は、ペアを形成した移動装置に基づいて識別され、ナビゲーション装置２００に格納されてもよい。例えば、移動装置４１０によりサポートされることがわかっている機能のリストは、ペアを形成した移動装置のデフォルト設定としてナビゲーション装置２００に保存されてもよい。
【００５８】
しかし、移動装置４１０は、無線サービスを提供するナビゲーションシステム２００の外部の任意の装置であってもよく、移動電話又はそれに類似する装置に限定されない。更に、移動装置４１０は追加機能を含んでもよい。例えば、移動装置４１０はインターネットへの接続を可能にする無線ルータであってもよく、電話帳アクセス、ＳＭＳアクセスなどを含まなくてもよい。
【００５９】
以下に、移動装置によりサポートできる実施形態の追加機能に関して更に詳細に説明する。例えば、ＳＭＳアクセスは、移動装置４１０のＳＭＳアクセスシステムの図形表現をナビゲーション装置２００に表示する工程を含んでもよい。例えば、図形表現は、移動装置において受信されるメッセージのリスト、移動装置４１０において送出されるメッセージのリスト及びＳＭＳアクセスに関する他の任意の適切な情報を含んでもよい。従って、ナビゲーション装置２００を使用して移動装置４１０に格納されたメッセージを容易に読取れるように、ナビゲーション装置２００のユーザはそれらのメッセージを選択してもよい。ＳＭＳアクセスは、移動装置４１０によって送出されるべき新たなメッセージの構成を更に含んでもよい。例えば、ナビゲーション装置２００のユーザは、ナビゲーション装置２００の入力装置（例えば、タッチスクリーン、キーパッドなど）を使用して新たなメッセージを構成し、移動装置のＳＭＳサービスを使用してそれらの新たなメッセージを送信してもよい。同様に、移動装置４１０で受信されたメッセージはナビゲーション装置２００に表示され、受信時に格納されてもよい。このように、ナビゲーション装置２００のユーザは入力装置を使用して、メッセージを選択し、メッセージを送出し、ナビゲーション装置２００を使用してメッセージを格納してもよい。選択はタッチインタフェースを使用して実行されてもよいことが理解されるであろう。従って、アクセス及び利用可能性が向上する。
【００６０】
例えば、電話帳アクセスは、移動装置４１０に格納された電話帳の図形表現をナビゲーション装置２００に表示する工程を含んでもよい。従って、ユーザは、電話帳と支障なく対話できる。そのような対話は、ナビゲーション装置２００の入力装置又はタッチスクリーンインタフェースを使用することにより更に向上されてもよい。例えば、移動装置４１０における電話帳アクセスは、移動装置４１０により提供される複数の電話帳アクセス方法を含んでもよい。それらの方法を使用して、ナビゲーション装置２００は、移動装置４１０に格納された電話帳にアクセスしてもよい。ナビゲーション装置２００は、電話帳アクセスを統合するために、移動装置４１０により提供される全ての電話帳アクセス方法を使用してもよいが、少なくとも１つのアクセス方法を使用してもよい。例えば、１つの電話帳アクセス方法が失敗した場合、ナビゲーション装置２００はそれに代わる方法を試行してもよい。前述の図形表現に関して、アイコンなどを含むリストがナビゲーション装置２００に表示されてもよいことが理解されるであろう。電話をかけるか又はデータメッセージを送出するために、ユーザは任意の利用可能な入力方法を使用して、ナビゲーション装置２００に表示された１つの番号を単純に選択してもよい。同様に、通話を終了するか又はデータメッセージを送出するために、ユーザは通話終了オプション又はメッセージ送出オプションを単純に選択してもよい。従って、電話帳アクセスを使用して、ユーザはナビゲーション装置２００により提供される熟知したインタフェースと対話する一方で、移動装置４１０の機能に対するアクセスも実行できる。従って、一実施形態によれば、ユーザが、ナビゲーション装置２００の熟知したインタフェースを使用して電話帳と支障なく対話できるように、電話帳アクセスは、移動装置４１０に格納された電話帳の図形表現をナビゲーション装置２００に表示する工程を含んでいてもよい。
【００６１】
更に、追加機能は、電話番号ダイヤリングアクセスを含んでもよい。ダイヤリングへのアクセスは、ナビゲーション装置２００が電話番号をダイヤルし、移動装置４１０を使用する無線通話の確立を可能にする工程を含んでもよい。ダイヤルするために入力装置又はタッチスクリーンインタフェースのうちいずれかを使用してもよいので、このアクセスはナビゲーション装置２００により向上されることが理解されるであろう。これは、上述したようなハンズフリーアクセス又は電話帳アクセスと組み合わせて実行されてもよい。
【００６２】
例えば、ハンズフリーアクセスは、ナビゲーション装置２００を使用して無線通話を受信、開始、終了することのうち少なくとも１つを含む。ハンズフリーアクセスは、ナビゲーション装置２００のユーザが移動装置４１０とほとんど又は全く対話せずに無線通話を実行するのを可能にするため、車両又は機械を操作している間の使用が容易になる。例えば、移動装置４１０により着信が検出された場合、移動装置４１０は着信信号をナビゲーション装置２００へ送出してもよい。ナビゲーション装置２００のユーザに着信を報知するために、ナビゲーション装置２００は、発信元番号（すなわち、発信元の電話番号）、発信者の名前（すなわち、電話帳アクセス又は発信者ＩＤサービスを使用して取得される）又はそれに類似する識別子のうちいずれかを表示してもよい。そこで、ユーザは、着信を受入れるか又は拒否するかを決定するオプションを単純に選択してもよい。ユーザが着信を受入れる場合、ナビゲーション装置２００はハンズフリー通話を助ける。ユーザが着信を拒否する場合には、ナビゲーション装置２００は単純に通話を終了するか、あるいは着信音又は報知を停止してもよい。同様に、ナビゲーション装置２００のユーザは、ハンズフリーアクセスを使用して無線通話を開始してもよい。例えば、ユーザは入力装置を使用してダイヤルすべき電話番号を入力し、通話を開始するためのオプションを選択してもよい。同様にユーザは、通話を実行できるように、電話帳アクセスと組み合わせて番号を選択してもよい。従って、実施形態によれば、ハンズフリーアクセスは、ナビゲーション装置２００を使用して無線通話を受信、開始、終了することのうち少なくとも１つを含んでもよい。
【００６３】
更に、上述の機能はナビゲーション装置２００において利用可能な複数の機能と組み合わせて使用されてもよいことが理解されるであろう。例えば、番号や名前の少なくともいずれかが発話されることにより、移動装置４１０によって認識されるように、ナビゲーション装置２００は音声認識システムを採用してもよい。これにより、発話された名前に基づいて電話帳をトラバースし、関連する番号をダイヤルするようにナビゲーション装置２００に指令することによって、完全なハンズフリーアクセスが可能になる。更に、移動装置４１０の電子メール機能又はＳＭＳ機能を使用して、電子メール、テキスト、ＳＭＳ又は他のメッセージを同様に指図し、送出してもよい。同様に、移動装置４１０で利用可能な追加機能が、その機能へのアクセスに使用されるタッチスクリーンインタフェースのような図形表現でナビゲーション装置２００に表示されてもよい。図形表現は、以前にナビゲーション装置２００とペアを形成していたか、ナビゲーション装置２００に格納されていたかする複数の移動装置の表示に使用されてもよい。このように複数の移動装置から利用可能である更に多くの機能に対するアクセスがナビゲーション装置２００によって向上される。
【００６４】
従って、実施形態によれば、自動接続セットアップ方法は接続設定を取得し、移動装置の追加機能を識別してもよい。
【００６５】
自動接続セットアップ方法から取得された接続設定及び識別された追加機能は、ペアを形成した移動装置４１０の（例えば、ペアを形成した移動装置と関連し、格納された）ＩＤに基づいてナビゲーション装置２００に格納されてもよい。
【００６６】
上述した特徴をナビゲーション装置２００と関連して使用できるように、ナビゲーション装置２００に対して通信接続を確立する方法の一実施形態を更に開示する。例えば、その方法は、ユーザから必要とされる接続の種類に関する情報の量が減少されるように、接続固有情報又は少なくとも予備情報の検索を含んでもよい。その方法は、自動方法又は半自動方法、あるいはそれらの何らかの組み合わせであってもよい。
【００６７】
図６は、一実施形態に係る接続設定を自動的に発見する方法を示す。図６に示されるように、自動接続セットアップ方法は、予備移動装置情報の取得を試行する工程を含んでもよい。自動接続セットアップ方法は、ナビゲーション装置２００により採用及び／又は処理されてもよい。ナビゲーション装置は、図２に示されるナビゲーション装置２００と略同様であってもよい。自動方法を処理する際、ナビゲーション装置２００は、無線リンクを使用して、移動装置４１０に予備情報の検索を指示してもよい。予備情報は、機種番号、サービスプロバイダ、ブランド、型、電話番号、アクセスポイントネットワーク（ＡＰＮ）、アクセスコード、ＡＰＮプレフィクスのうち少なくとも１つを含んでもよい。例えば、移動装置４１０は、ＡＰＮ又はＧＰＲＳネットワークを介するインターネットアクセスを含む複数の追加機能をサポートしてもよい。移動装置４１０によりサポートされる接続を利用可能にするために、ＡＰＮアクセスコード、ＡＰＮアクセスプレフィクス、あるいはＧＰＲＳ又は他のネットワーキングプロトコルのプレフィクスを含む類似する接続固有設定を使用し、移動装置への無線リンクを介した装置接続が使用可能にされてもよい。予備情報は、無線接続を介して移動装置４１０からナビゲーション装置２００へ送出されてもよい。
【００６８】
しかし、予備情報は、上述した例に限定されるべきではない。例えば、予備情報は、仮想プライベートネットワーク（ＶＰＮ）接続を確立できるように、ＶＰＮアクセス番号及びＰＩＮを含んでもよい。更に、移動装置４１０は無線ルータであってもよい。従って、予備情報は、無線ルータにより採用されるプロトコルに応じて、上述した例とは実質的に異なる又は上述した例に類似するルータ固有設定を更に含んでもよい。
【００６９】
予備情報の取得後、ナビゲーション装置２００内のデータベースが予備情報により検索されてもよい。例えば、ナビゲーション装置２００内のデータベースは、予備情報の種類や量の少なくともいずれかに基づいてインデックス付けされてもよい。データベースのエントリは、サービスプロバイダ、電話番号、アクセスコード又はアクセスプレフィクスにより表現されるインデックスを含んでもよい。しかし、他の任意のインデックス方法が使用されてもよいことは理解されるであろう。例えば、移動装置４１０の機種番号、サービスプロバイダ及び／又は国及び地理的場所がデータベースエントリのインデックスとして使用されてもよい。
【００７０】
予備情報によってデータベースを検索する場合、自動接続セットアップ方法は、成功又は使用可能なインデックスが発見されるように、データベースの複数の設定、インデックスの少なくともいずれかを反復してもよい。例えば、図６に示されるように、自動接続セットアップ方法は、正確な設定が発見されるまでデータベース内の後続する設定を試行又は利用することを反復してもよい。例えば、検索された接続設定は、無線接続を介して移動装置４１０へ送出され且つ／又は移動装置４１０を使用して試行されてもよい。正確な設定が発見された場合、ナビゲーション装置２００は、その設定を移動装置４１０の接続固有設定として格納してもよい。例えば、移動装置は、ナビゲーション装置２００に接続の成功を促す又は報知してもよい。その後、格納された設定は、無線接続を介するナビゲーション装置２００への移動装置の通信接続を可能にするために使用されてもよい。
【００７１】
従って、実施形態によれば、ナビゲーション装置において、通信接続のために移動装置４１０の接続固有設定を発見する方法が開示される。その方法は、移動装置４１０から予備情報を取得するために、移動装置４１０とナビゲーション装置２００との間に無線接続を確立し、予備情報に基づいてナビゲーション装置２００内のデータベースの複数のエントリを検索し、検索されたエントリを使用して通信接続の確立を試行し、通信接続の確立に成功したエントリを移動装置４１０の接続固有設定として格納する。
【００７２】
同様に、ナビゲーション装置２００は上述の方法を処理してもよい。従って、実施形態によれば、ナビゲーション装置２００は、移動装置４１０を介するナビゲーション装置２００の通信接続を可能にする複数の移動装置に関する接続固有設定を含む複数のエントリを格納するデータベースと、複数の移動装置のうち少なくとも１つの移動装置４１０に関する接続固有設定を格納するメモリと、少なくとも１つの移動装置に関する接続固有設定を取得するために、移動装置４１０から受信した予備情報に基づいてデータベースの複数のエントリを検索するプロセッサとを含んでもよい。
【００７３】
更に、上述の特徴に加えて、データベースから接続の確立に成功したエントリが取得されない場合、一実施形態に係る半自動接続セットアップ方法がナビゲーション装置２００により採用されてもよい。同様に、移動装置４１０から予備情報が取得されない場合にも、半自動接続セットアップ方法が採用されてもよい。
【００７４】
従って、半自動方法の一実施形態が開示される。データベースの検索に失敗した場合に半自動方法が試行されるように、半自動方法は自動方法と組み合わせて使用されてもよい。あるいは、ユーザは半自動方法を優先して、自動方法を行わなくてもよい。以下に半自動方法を説明する。
【００７５】
図７は、一実施形態に係る半自動的に接続設定を発見する方法を示す。図７に示される半自動方法では、その方法を処理するナビゲーション装置２００は、移動装置４１０から予備情報の少なくとも一部を取得する工程を試行してもよい。例えば、予備情報の一部は移動装置の種類、機種、ユーザが居住している国、移動ネットワークプロバイダ名などの少なくともいずれかを含んでもよい。予備情報又はその一部は、ナビゲーション装置と移動装置との間で採用される無線リンクを介して取得されてもよい。その後、移動装置４１０のユーザが追加情報をわかっているのであれば、ナビゲーション装置２００は追加情報をユーザに指示してもよい。
【００７６】
ユーザは、移動装置４１０に関して利用可能な接続設定の一部又は全てを入力してもよい。例えば、ユーザはＡＰＮアクセスコード、プレフィクス、ＶＰＮアクセス番号、ＰＩＮ、ルータ固有設定などを入力してもよい。その後、接続が試行されてもよい。例えば、ナビゲーション装置２００は、取得された情報のみを使用して接続を試行してもよい。更に、ナビゲーション装置は、移動装置４１０が配置されている国を判定できるように、移動装置４１０及びナビゲーション装置２００の現在の地理的場所を判定してもよい。ナビゲーション装置２００の地理的場所を使用して、サービスプロバイダ、並びに／又は共通プレフィクス及び接続固有情報のリストが判定されてもよい。そのような判定は、上記に開示したデータベースの検索を経て向上されてもよいが、半自動方法の場合にはそれは必須ではない。尚、ユーザは、ナビゲーション装置２００の地理的場所を検証することを指示されてもよい。例えば、ユーザが旅行中であり、現在、サービスプロバイダが存在する国とは別の国にいる場合、現在の国の場所の検証は有益であろう。例えば、判定は、取得された情報、その一部及び現在のＧＰＳ場所を使用してデータベースを検索する工程を含んでもよい。その後、無線装置との予備接続を試行するために、既知のプレフィクス（すなわち、データベースに格納されているプレフィクス及び設定）のリスト、ＧＰＳ場所の少なくともいずれかが使用されてもよい。
【００７７】
接続に成功した場合、又は接続固有設定の検索に成功した場合、ナビゲーション装置２００は、ペアを形成した移動装置のＩＤに基づいて成功した設定を格納してもよい。
【００７８】
その後、成功した設定をリモートサーバ３０２／４３０に格納できるように、ナビゲーション装置２００は、ペアを形成した移動装置に関する接続固有設定をアップロードすることをユーザに要求してもよい。成功した設定は、リモートサーバ３０２／４３０に格納されるので、類似の機種の移動装置の他のユーザは、従来の方法と比較して比較的容易に接続固有設定を取得できる。
【００７９】
例えば、図６に示されるようにナビゲーションシステム２００内のローカルデータベースを検索する代わりに、無線装置の機種に関して接続を成功させる接続固有設定が複数のユーザにより採用されるように、予備情報によってリモートサーバ３０２／４３０及び／又はデータベースが検索されてもよい。
【００８０】
上述したように、ナビゲーション装置２００は、ローカルデータベースのサポートされる装置のリストに対して既知の設定を格納してもよい。ペアを形成した無線装置又は所望の無線装置に関して既知の設定を容易に発見できるように、移動装置４１０から検索された予備情報を使用して、ローカルデータベースがトラバースされてもよい。自動接続セットアップ方法によって、移動装置の無線接続設定に関して限られた情報や限られた技術能力の少なくともいずれかしかもたないユーザが移動装置から機能を豊富に含む情報サービスを推定し、それらのサービスをナビゲーション装置２００において利用することができるであろう。また、ナビゲーション装置２００のような外部装置により、ハンズフリー通話などの追加機能を提供する移動装置に更に容易にアクセスできるようになるであろう。
【００８１】
更に、図４に関して上述したように、基本ナビゲーションシステムは、本明細書中で開示される接続セットアップ方法を使用して複数のユーザに対して接続を成功させた設定を格納するためにリモートサーバ４３０を含んでもよい。サーバ４３０に格納された新たにサポートされる装置に関する接続固有設定は、コンピュータ４４０を使用してインターネットによりアクセスされてもよく、あるいはサポートされる移動装置４１０によりアクセスされてもよく、それにより、ナビゲーション装置２００はサポートされた移動装置又は新たにサポートされる移動装置に関する情報を容易に検索できる。その後、ナビゲーション装置２００のユーザは、接続固有設定に関する限られた情報によって、複数の移動装置を更に容易に接続できる。
【００８２】
移動装置の追加機能は、移動装置４１０に格納された電話帳又は連絡先情報、携帯電話接続を介するＳＭＳメッセージングサービス、ＳＩＭカード又は移動装置４１０に格納されたサービスプロバイダ情報、及び移動装置４１０のユーザには知られていない他の機能を含んでもよい。無線リンクを介して成功した接続と、自動セットアップ接続方法又は半自動セットアップ接続方法のいずれかを経て検索された接続固有設定とによって、ユーザは、十分な技術能力がなくても、通常の小型画面移動装置からその他の機能を利用できる。移動装置４１０への接続に成功した後は、ナビゲーション装置２００が移動装置の機能をより容易に操作できるように役割を果たすので、ユーザは移動装置４１０の限定されたマン‐マシンインタフェースＨＭＩ（すなわち、小型画面、小型キーパッドなど）をそれ以上使用する必要がない。例えば、ユーザは、ナビゲーション装置２００のグラフィカルユーザインタフェースを介して移動装置４１０に格納された電話帳にアクセスできる。同様に、移動装置４１０のユーザは、移動装置接続により使用可能にされたユーザインタフェースを介してＳＭＳメッセージングにアクセスできる。そのようなＳＭＳメッセージングは、ナビゲーション装置の比較的大型の画面を使用する電子メール又はショートメッセージングを含むサービスを含んでもよい。同様に、電話機能をトラバースするためにナビゲーション装置２００の音声プロンプトが使用されてもよく、それにより移動装置４１０の完全なハンズフリー使用が可能になる。そのようなハンズフリー使用は、移動装置の機能を使用しながらの運転を更に安全にすることができ、更に、ナビゲーション装置のユーザが運転などの他の作業に集中する状態を維持することを可能にするであろう。
【００８３】
同様に、本明細書中で開示される実施形態は組み合わされてもよく、そのような全ての組み合わせは本開示の範囲内に含まれることが意図される。例えば、接続固有設定がＳＭＳメッセージングを経て、移動装置４１０のユーザへ直接送出されるように、移動装置４１０におけるＳＭＳアクセスは先に述べた半自動発見方法と組み合わされてもよい。このようにすることにより、半自動方法の使用はいっそう容易になる。設定は、電話帳、ハンズフリーアクセスの少なくともいずれかを使用して呼び出されてもよいサポートサービスによりＳＭＳを介して送出されてもよい。同様に、ユーザは、１つの移動装置とのインターネット接続にアクセスし、サポートサービスウェブサイトにおいて異なる移動装置に関する接続固有設定を要求してもよい。その後、接続固有設定は、ナビゲーション装置２００に格納された１つのインターネット接続を使用してナビゲーション装置２００へ送出され、その後、設定発見のために自動方法又は半自動方法と共に使用されてもよい。
【００８４】
更に、先に説明した少なくとも１つの実施形態の方法は、プロセッサ（例えば、サーバ３０２のプロセッサ３０４及び／又はナビゲーション装置２００のプロセッサ２１０など）により実行された場合に、プロセッサにそれぞれ対応する方法を実行させる命令のシーケンスを表現する搬送波又は伝播信号の形で具体化されるコンピュータデータ信号として実現されてもよい。少なくとも１つの他の実施形態においては、先に提供された少なくとも１つの方法は、プロセッサ又は他のコンピュータ装置により実行された場合にそれぞれ対応する方法を実行するために、例えば、先に説明したメモリ素子のうち１つのメモリ素子などのコンピュータ可読媒体又はコンピュータアクセス可能媒体に含まれる１組の命令として実現されてもよい。種々の実施形態において、媒体は磁気媒体、電子媒体、光媒体などであってもよい。
【００８５】
更に上述の方法のうち任意の方法がプログラムの形態で実現されてもよい。プログラムは、コンピュータ可読媒体に格納されてもよく、演算装置（プロセッサを含む装置）上で実行する場合に上述の方法のうち任意の方法を実行するように構成される。従って、記憶媒体又はコンピュータ可読媒体は、情報を格納するように構成され、また上述の実施形態のうちの任意の実施形態の方法を実行するためにデータ処理機能又は演算装置と対話するように構成される。
【００８６】
記憶媒体は、コンピュータ装置本体の内部に設置された内蔵媒体であってもよく、あるいはコンピュータ装置本体から分離できるように構成された取り外し可能な媒体であってもよい。内蔵媒体の例としては、ＲＯＭ及びフラッシュメモリ等の書き換え可能な不揮発性メモリ、並びにハードディスクがあるがそれらに限定されない。取り外し可能な媒体の例としては、ＣＤ−ＲＯＭ及びＤＶＤ等の光記憶媒体；ＭＯ等の光磁気記憶媒体；フロッピー(登録商標)ディスクａ、カセットテープ及び取り外し可能なハードディスクを含むがそれらに限定されない磁気記憶媒体；メモリカードを含むがこれに限定されない内蔵された書き換え可能な不揮発性メモリを含む媒体；並びにＲＯＭカセットを含むがこれに限定されない内蔵ＲＯＭを含む媒体等があるがそれらに限定されない。更にプロパティ情報等の格納された画像に関する種々の情報は、任意の他の形態で格納されてもよく、あるいは他の方法で提供されてもよい。
【００８７】
本開示を読むことにより当業者には理解されるように、ナビゲーション装置２００の電子構成要素及び／又はサーバ３０２の構成要素は、コンピュータハードウェア回路網又はコンピュータ可読プログラム、あるいはそれらの組合せとして実現できる。
【００８８】
本出願の実施形態のシステム及び方法は、プロセッサ上で動作可能なソフトウェアを含み、本出願の教示に係る方法のうち少なくとも１つを実行する。本開示を読み且つ理解することにより、ソフトウェアプログラムがコンピュータを使用するシステムにおいてコンピュータ可読媒体から起動され、ソフトウェアプログラムにおいて見つけられた機能を実行する方法は、当業者により理解されるだろう。本出願の方法のうち少なくとも１つの方法を実現及び実行するように設計されたソフトウェアプログラムを作成するために採用できる種々のプログラミング言語は、当業者により更に理解されるだろう。
【００８９】
プログラムは、ＪＡＶＡ(登録商標)、Ｓｍａｌｌｔａｌｋ、Ｃ＋＋等を含むがそれらに限定されないオブジェクト指向言語を使用してオブジェクト指向で構成できる。またプログラムは、ＣＯＢＯＬ、Ｃ等を含むがそれらに限定されない手続き型言語を使用して手続き指向で構成できる。ソフトウェアコンポーネントは、当業者には周知の多くの方法で通信できる。それら方法は、レポート手続き呼出し（ＲＰＣ）、共通オブジェクトリクエストブローカアーキテクチャ（ＣＯＲＢＡ）、コンポーネントオブジェクトモデル（ＣＯＭ）、分散コンポーネントオブジェクトモデル（ＤＣＯＭ）、分散システムオブジェクトモデル（ＤＳＯＭ）及びリモートメソッド呼出し（ＲＭＩ）を含むがそれらに限定されないプロセス間通信技術やアプリケーションプログラムインタフェース（ＡＰＩ）を含むがそれらに限定されない。しかし、本出願の開示を読むことにより当業者には理解されるように、本出願の教示は特定のプログラミング言語又は環境に限定されない。
【００９０】
上記システム、装置及び方法は、ナビゲーション装置２００を使用して正確度、プロセッサの速度及びユーザ対話の容易さ等を向上することに関して例として説明されたのであり、限定するものではない。更に種々の実施形態の要素及び／又は特徴は、本開示及び添付の請求の範囲の範囲内で互いに組み合わされてもよく且つ／又は互いに置換されてもよい。
【００９１】
また、本発明の上記特徴及び他の特徴のうち任意の１つの特徴は、装置、方法、システム、コンピュータプログラム及びコンピュータプログラム製品の形態で実現されてもよい。例えば、上述の方法はシステム又は装置の形態で実現されてもよく、システム又は装置は図示される方法論を実行するための任意の構成を含むがそれに限定されない。
【００９２】
実施形態を説明したが、それら実施形態が多くの方法で変形されてもよいことは明らかだろう。そのような変形は本発明の趣旨の範囲から逸脱するとは考えられず、当業者には明らかであるように、全てのそのような変形例は以下の請求の範囲内に含まれることが意図される。
【図面の簡単な説明】
【００９３】
【図１】全地球測位システム（ＧＰＳ）の一例を示す図である。
【図２】本出願の一実施形態に係るナビゲーション装置の構成要素の例を示すブロック図である。
【図３】本出願に係る一実施形態のサーバ、ナビゲーション装置及びサーバとナビゲーション装置との間の接続の一例を示すブロック図である。
【図４】一実施形態に係るナビゲーションシステムを示す図である。
【図５】一実施形態に係る移動装置への無線接続を確立する方法を示すフローチャートである。
【図６】一実施形態に係る接続設定を自動的に発見する方法を示すフローチャートである。
【図７】一実施形態に係る接続設定を半自動的に発見する方法を示すフローチャートである。
【図１】
2009536794.tif 000003
【図２】
2009536794.tif 000004
【図３】
2009536794.tif 000005
【図４】
2009536794.tif 000006
【図５】
2009536794.tif 000007
【図６】
2009536794.tif 000008
【図７】
2009536794.tif 000009
【国際調査報告】
2009536794.tif 000010
2009536794.tif 000011